(57)【特許請求の範囲】
【請求項１】
一対の側面視略Ｌ字形の物品２１，３１の一方を上下に反転させ、巴状に近接させ、上位に位置する上位物品３１及び下位に位置する下位物品２１で側面視略矩形の状態で収納するＬ形物品の収納方法において、
前記下位物品２１を少なくとも下仕切りバー５３を介してラック１０の下部に前記下位物品２１の側部２４をラック１１の背側にして収納する工程と、
前記下位物品２１の凹コーナ部２８を収納取出し方向にスイング自在に設けた下位保持部材５８で支持するとともに、前記上位物品３１の側部３４をラック１１前面側にして上仕切りバー５４で支持し、且つ前記下位保持部材５８と同じ方向にスイング自在に設けた支持手段５６を介して前記上位物品３１を前記ラック１１の上部に収納する工程と、
を備えたことを特徴とするＬ形物品の収納方法。
【請求項２】
前記下仕切りバー５３及び上仕切りバー５４は、複数個の前記下位物品２１及び前記上位物品３１を列べて収納可能にしたものであることを特徴とする請求項１記載のＬ形物品の収納方法。
【請求項３】
前記上位物品３１を、前記下位物品２１の収納時には収納取出し方向に退避自在に設けた上位保持部材５７及び支承手段５５で支持したことを特徴とする請求項１又は請求項２記載のＬ形物品の収納方法。
【発明の詳細な説明】
【０００１】
【発明の属する技術分野】
本発明は、自動車のフロントフェンダのようなパネル状部材や、部品梱包状態で略Ｌ字の物品を収納するためのＬ形物品の収納方法に関する。
【０００２】
【従来の技術】
物品の収納方法として、例えば実開平５−１６５２号公報「ハンガ付き台車」が知られている。
同公報の図２を、図１３に掲載し上記技術を説明する。ただし、同公報に記載の符号を新しく振り直すとともに記載の名称も一部変更した。
【０００３】
図１３は従来の横置き収納方式を採用した物品収納装置の側面図である。物品収納方法の一例を示す。
物品収納装置２００は、物品２０１を収納するためにフロント側組み柱２０２及びリヤ側組み柱（不図示）を設け、これらの柱に物品２０１を係止するハンガ２０４を設けた収納装置であって、リヤ側組み柱に物品２０１を収納しやすくするために、フロント側組み柱２０２を、コーナ柱２０５にアーム２０６を介して進退自在を取付け、フロント側組み柱２０２を後方に待避できるようにした物品２０１を横置き収納する形式の収納装置である。
【０００４】
図１４（ａ），（ｂ）は従来の横置き収納方式を採用した別物品収納方法の説明図であり、（ａ）は横置き積み重ね収納する物品２１０の側面図を示し、（ｂ）は物品収納装置２２０の平面図を示す。
（ａ）において、物品としての車両用フロントフェンダ２１１であり、２１２はホイールアーチ部、２１３はドア側エッジ、２１４はボンネット側エッジ、２１５はライト側エッジを示す。
【０００５】
（ｂ）において、物品収納装置２１０は、左右に２つの収納部２１６，２１７を備え、収納部２１６，２１７は車両用フロントフェンダ２１１を仕切る複数のハンガ２１８を備える。
すなわち、車両用フロントフェンダ２１１をパッキン２１９を介して３枚組みに組合わせ、これらの３枚組みの車両用フロントフェンダ２１１をハンガ２１８積載しつつ収納部２１６，２１７に収納するものである。
【０００６】
【発明が解決しようとする課題】
しかし、図１３に示す物品を横置き収納する方法において、横置き収納の場合は物品２０１の収納高さが物品２０１ごとに変化するので、収納や取出しの作業性を低下させることもあり、収納枚数を増加させる場合は可能な限り上方に積載することになるので、収納や取出しの作業性と収納効率の向上の両立は困難なこもある。
また、図１４に示す物品を横置き積み重ね収納する方法において、ハンガ２１８が車両用フロントフェンダ２１１の収納枚数を増加させるため作業の妨げになることがある。もっと、収納効率を向上させたいものである。
【０００７】
そこで、本発明の目的は、物品の収納や取出しの作業性を低下させることなく、物品の収納効率を向上させることのできる技術を提供することにある。
【０００８】
【課題を解決するための手段】
上記目的を達成するために請求項１のＬ形物品の収納方法は、一対の側面視略Ｌ字形の物品の一方を上下に反転させ、巴状に近接させ、上位に位置する上位物品及び下位に位置する下位物品で側面視略矩形の状態で収納するＬ形物品の収納方法において、下位物品を少なくとも下仕切りバーを介してラックの下部に下位物品の側部をラックの背側にして収納する工程と、下位物品の凹コーナ部を収納取出し方向にスイング自在に設けた下位保持部材で支持するとともに、上位物品の側部をラック前面側にして上仕切りバーで支持し、且つ下位保持部材と同じ方向にスイング自在に設けた支持手段を介して上位物品をラックの上部に収納する工程と、を備えたことを特徴とする。
【０００９】
所定の大きさのラックに多数のＬ形物品を収納できるとすれば、Ｌ形物品の収納効率を向上する上で好ましいことである。また、所定の大きさのラックに多数のＬ形物品を収納しても、Ｌ形物品の収納及び取出し時の作業性が低下させないようにすることも必要である。
そこで、物品の形状が略Ｌ字形の物品であることに着目し、下位物品を少なくとも下仕切りバーを介してラックの下部に下位物品の側部をラックの背側にして収納する工程と、下位物品の凹コーナ部を収納取出し方向にスイング自在に設けた下位保持部材で支持するとともに、上位物品の側部をラック前面側にして上仕切りバーで支持し、且つ下位保持部材と同じ方向にスイング自在に設けた支持手段を介して上位物品をラックの上部に収納する工程と、を備えることで、物品の収納効率の向上を図る。また、矩形にした物品同士の収納高さは２段になるだけなので、収納及び取出し時の作業性を損なうことはない。
【００１０】
請求項２は、下仕切りバー及び上仕切りバーが、複数個の下位物品及び上位物品を列べて収納可能にしたものであることを特徴とする。
【００１１】
下仕切りバー及び上仕切りバーを、複数個の下位物品及び上位物品を列べて収納可能にすることで、所定の大きさのラックに多数のＬ形物品，を収納できる。
【００１２】
請求項３は、上位物品を、下位物品の収納時には収納取出し方向に退避自在に設けた上位保持部材及び支承手段で支持したことを特徴とする。
【００１３】
上位物品を、下位物品の収納時には収納取出し方向に退避自在に設けた上位保持部材及び支承手段で支持することで、下位物品の収納及び取出しの作業性の向上を図ることができる。
【００１４】
【発明の実施の形態】
本発明の実施の形態を添付図に基づいて以下に説明する。なお、図面は符号の向きに見るものとする。
図１は本発明に係るＬ形物品の収納方法を採用したＬ形物品収納装置の斜視図である。
Ｌ形物品収納装置１０は、ラックとしての架台フレーム１１を、底部材１２と、この底部材１２から延ばした４本の支柱１３…（…は複数個を示す。以下同じ）と、これらの支柱１３…の上端を繋ぐ縦フレーム１４，１４及び横フレーム１５，１５とで収納部１６を構成する台車である。１８…は底部材１２に取付けたキャスタを示す。
【００１５】
下位物品２１は、略Ｌ字形の板状体を呈したＬ形物品であって、収納部１６の下位に収納する物品であり、２２は下位物品２１の下部、２３は下位物品２１の第１側部、２４は下位物品２１の第２側部、２５は下位物品２１の上部としての後側上部、２６は下位物品２１の上部としての前側上部、２７は下位物品３１の中間側部、２８は上位物品の凹コーナ部を示す。
【００１６】
同様に、上位物品３１は、下位物品２１と同一形状の部材であって、収納部１６の上位に収納する物品であり、３２は上位物品３１の上部、３３は上位物品３１の側部としての第１側部、３４は上位物品３１の側部としての第２側部、３５は上位物品３１の下部としての前側下部、３６は上位物品３１の下部としての後側下部、３７は上位物品３１の中間側部、３８は上位物品の凹コーナ部を示す。
【００１７】
図２は本発明に係るＬ形物品の収納方法を採用したＬ形物品収納装置の側面図である。
収納部１６は、正面開口４１及び天井面開口４２の２つの開口と、これらの開口を形成する左側面部４３（図１参照）、右側面部４４、背面部４５及び底部材１２の４つの面と、から構成する部分であって、下位物品２１の下部２２を支える前仕切りバー５１及び後仕切りバー５２と、下位物品２１の第２側部２４を支える下仕切りバー５３と、上位物品３１の第１側面３３を支える上仕切りバー５４と、上位物品３１の後側下部３６を支えるために架台フレーム１１にスイング可能に取付けた支持手段の１つである支承部材としての第１の支承部材５５と、上位物品３１の前側下部３５を支えるために架台フレーム１１にスイング自在に取付けた支持手段の１つである支承部材としての第２の支承部材５６と、上位物品３１の第２側面３４を押えるために架台フレーム１１にスイング自在に取付けた支持手段としての上位保持部材５７と、下位物品２１の前側上部２６を押えるために架台フレーム１１にスイング自在に取付けた支持手段としての下位保持部材５８と、を備える。なお、第１・第２の支承部材５５，５６は、所定のセット位置に止めるストッパ機能を備える。
【００１８】
以上に述べたＬ形物品収納装置１０に、下位物品２１及び上位物品３１を収納する手順を次に説明する。
【００１９】
図３（ａ），（ｂ）は本発明に係るＬ形物品の収納方法を採用したＬ形物品収納装置の作用説明図（その１）である。
（ａ）において、第１の支承部材５５を矢印ａ１の如く跳ね上げ、第２の支承部材５６を矢印ａ２の如く下ろし、第上位保持部材５７を矢印ａ３の如く跳ね上げ、下位保持部材５８を矢印ａ４の如く下ろした状態にセットする。
（ｂ）において、二点鎖線で示す下位物品２１を下部２２を下方に向けた状態で正面開口４１から矢印ｂ１の如く収納部１６に差し込む。前仕切りバー５１及び後仕切りバー５２で下部２２を支え、下仕切りバー５３で第２側部２４を支える。そして、所定枚数の下位物品２１…を収納する。
【００２０】
図４（ａ）〜（ｃ）は本発明に係るＬ形物品の収納方法を採用したＬ形物品収納装置の作用説明図（その２）である。
（ａ）において、下位保持部材５８を矢印ａ５の如く跳ね上げ、下位物品２１の前側上部２６を押える。次に、第１の支承部材５５を矢印ａ６の如く下ろすとともに第２の支承部材５６を矢印ａ７の如く跳ね上げて、第１・第２の支承部材５５，５６のセットを完了する。
【００２１】
（ｂ）において、二点鎖線で示す上位物品３１を上部３２を上方に向けるとともに第１側部３３を正面開口４１に向けた状態で矢印ｂ２の如く収納部１６に差し込む。上仕切りバー５４で第１側部３３を支持し、第１の支承部材５５で後側下部３６を支え、第２の支承部材５６で前側下部３５を支える。そして、所定枚数の上位物品３１…を収納する。
【００２２】
（ｃ）において、上位保持部材５７を矢印ｃ１の如く下ろし、上位物品３１の第２側部３４を押える。
【００２３】
本発明に係るＬ形物品の収納方法は、一対の側面視略Ｌ字形の物品２１，３１の一方を上下に反転させ、巴状に近接させて側面視略矩形にした状態で、上位に位置する上位物品３１及び下位に位置する下位物品２１を個々に支持する複数の支持手段（例えば、第１・第２の支承部材５５，５６、上位保持部材５７、下位保持部材５８）を介して架台フレーム（ラック）１１に収納するものであると言える。
【００２４】
所定の大きさのラックに多数のＬ形物品を収納できるとすれば、Ｌ形物品の収納効率を向上する上で好ましいことである。また、所定の大きさのラックに多数のＬ形物品を収納しても、Ｌ形物品の収納及び取出し時の作業性が低下させないようにすることも必要である。
【００２５】
そこで、物品の形状が略Ｌ字形の物品であることに着目し、一対の側面視略Ｌ字形の物品２１，３１の一方を上下に反転させ、巴状に近接させて側面視略矩形にした状態で、上位に位置する上位物品３１及び下位に位置する下位物品２１を個々に支持する複数の支持手段（例えば、第１・第２の支承部材５５，５６、上位保持部材５７、下位保持部材５８）を介して架台フレーム１１に収納することで、物品２１，３１の収納効率の向上を図る。また、矩形にした物品２１，３１同士の収納高さは２段になるだけなので、収納及び取出し時の作業性を損なうことはない。
【００２６】
また、本発明に係るＬ形物品の収納方法は、支持手段が、架台フレーム１１にスイング自在に取付けることで上位物品３１の後側下部（下部）３６を支承する第１の支承部材５５と、架台フレーム１１にスイング自在に取付けることで上位物品３１の前側下部（下部）３５を支承する第２の支承部材５６と、架台フレーム１１にスイング自在に取付けることで上位物品３１の第２側部（側部）３４を押える上位保持部材５７とを有し、これらの第１・第２の支承部材５５，５６及び上位保持部材５７をスイングさせて架台フレーム１１に上位物品３１を支持させるものであるとも言える。
【００２７】
上位物品３１の後側下部３６を支承する第１の支承部材５５を架台フレームにスイング自在取付け、上位物品３１の前側下部３５を支承する第２の支承部材５６を架台フレーム１１にスイング自在取付け、上位物品３１の第２側部３４を押える上位保持部材５７を架台フレーム１１にスイング自在に取付けることで、例えば、架台フレーム１１に下位物品２１を収納するときには、第１・第２の支承部材５５，５６及び上位保持部材５７を待避させておくことができる。
これにより、架台フレーム１１に下位物品２１を収納してから、第１・第２の支承部材５５，５６を所定の位置にセットし、上位物品３１を架台フレーム１１に収納してから上位保持部材５７で押えることができる。この結果、上位物品３１及び下位物品２１の収納及び取出しの作業性の向上を図ることができる。
【００２８】
さらに、本発明に係るＬ形物品の収納方法は、支持手段が、架台フレーム（ラック）１１にスイング可能に取付けることで架台フレーム１１に載置した下位物品２１の前側上部（上部）２６を保持する下位保持部材５８を有し、この下位保持部材５８をスイングさせて架台フレーム１１に下位物品２１を支持させるものであるとも言える。
【００２９】
下位物品２１を、スイング可能に取付けた下位保持部材５８で下方へ押すことで架台フレーム１１に支持させるようにしたので、複数の下位物品３１を架台フレーム１１に収納した後に、これらの下位物品２１を一括して押えることができる。この結果、下位物品２１の収納及び取出しの作業性の向上を図ることができる。
【００３０】
図５は本発明に係るＬ形物品の収納方法を採用した第２実施の形態のＬ形物品収納装置の斜視図である。
Ｌ形物品収納装置６０は、ラックとしての架台フレーム６１を、４本の支柱６２…と、これらの支柱６２…の下方を繋ぐ４本の外フレーム６３…と、４本の支柱６２…うちの２本を各々繋ぐサイドフレーム６４…と、これらのサイドフレーム６４…のうちの上部に位置する左右のサイドフレーム６４，６４同士を繋ぐクロスメンバ６５と、を主要構成部材とした台車であって、一方側収納部６６及び他方側収納部６７の２つの収納部を備えたものである。
【００３１】
なお、７１…はサイドフレーム６４…間を繋ぐセンタ補強部材、７２は下部に位置するサイドフレーム６４と側面に位置する外フレーム６３を繋ぐ下部補強部材、７３…は前後に位置する２本の外フレーム６３，６３同士を繋ぐ底補強部材、７５…は４本の支柱６２…にそれぞれ取付けた脚部である。
【００３２】
図６は図５の６矢視図であり、Ｌ形物品収納装置の側面を示す。
下位物品８１は、略Ｌ字形の板状体を呈したＬ形物品であって、具体的には車両用フロントフェンダであり、８２はタイヤを納めるホイールアーチ部、８３はドアに連続させるドア側エッジ、８４はボンネットに連続させるボンネット側エッジ、８５はヘッドライトを納めるライト側エッジを示す。
同様に、上位物品９１は、下位物品８１と同一形状の部材（車両用フロントフェンダ）であり、９２はホイールアーチ部、９３はドア側エッジ、９４はボンネット側エッジ、９５はライト側エッジを示す。
【００３３】
一方側収納部６６は、正面開口１０１及び天井面開口１０２の２つの開口と、これらの開口を形成する左側面部１０３、右側面部１０４、背面部１０５及び底面部１０６の４つの面と、から構成する部分であって、下位物品８１のドア側エッジ８３を支えるためにアンダバー１１１及び下仕切りバー１１２と、下位物品８１のボンネット側エッジ８４を支える背面仕切りバー１１３と、上位物品９１のホイールアーチ部９２を支えるために架台フレーム６１にスイング可能に取付けた第１のアーム１１５と、上位物品９１のライト側エッジ９５を支えるために架台フレーム６１にスイング自在に取付けた第２のアーム１１６と、
上位物品９１のボンネット側エッジ９４を押えるために架台フレーム６１にスイング自在に取付けた第３のアーム１１７と、下位物品８１のホイールアーチ部８２を押えるために架台フレーム６１台にスイング自在に取付けた第４のアーム１１８と、を備える。
【００３４】
図中、７４…はキャスタ、二点鎖線で示した１１５〜１１８は、第１〜第４のアーム１１５〜１１８の待避位置を示し、後述するように、下位物品８１及び上位物品９１を一方側収納部６６に収納するときに適宜、待避させるものである。また、第１・第２のアーム１１５，１１６は、所定のセット位置に止めるストッパ機能を備える。
他方側収納部６７は、一方側収納部６６に対称形状の収納部であって、１３１はアンダバー、１３２は下仕切りバー、１３３は背面仕切りバー、１３５〜１３８は第１〜第４のアームであり、詳細な説明を省略する。
【００３５】
図７は図５の７矢視図であり、Ｌ形物品収納装置６０の正面を示す。
下仕切りバー１１２は、下位物品８１の収納ピッチに合わせた仕切り１２１…を形成したことを示し、第１のアーム１１５は、上位物品９１の収納ピッチに合わせた仕切り１２２…を備えたことを示す。
また、下位物品８１及び上位物品９１を正面開口１０１から収納又は取出し可能であることを示す。
【００３６】
図８は図５の８矢視図であり、Ｌ形物品収納装置６０の平面を示す。
背面仕切りバー１１３は、下位物品８１の収納ピッチに合わせた仕切り１２３…を形成したことを示す。
他方側収納部６７は、一方側収納部６６に対称形状であることを示す。また、１２４，１２４は、第２のアーム１１６をセットする位置決めステーを示す。
【００３７】
以上に述べたＬ形物品収納装置６０の作用を次に説明する。
図９（ａ），（ｂ）は本発明に係るＬ形物品の収納方法を採用した第２実施の形態のＬ形物品収納装置の作用説明図（その１）である。
（ａ）において、一方側収納部６６の第１のアーム１１５を矢印ａ１の如く跳ね上げ、第２のアーム１１６をａ２の如く下ろし、第３のアーム１１７を矢印ａ３の如く跳ね上げ、第４のアーム１１８をａ３の如く下ろした状態にセットする。また、他方側収納部６７の第１〜第４のアーム１３５〜１３８を、一方側収納部６６の第１〜第４のアーム１１５〜１１８のそれぞれ状態と同様にセットする。
【００３８】
（ｂ）において、下位物品８１を下方に向けた状態で正面開口１０１から矢印ｂ１の如く一方側収納部６６に差し込む。アンダバー１１１及び下仕切りバー１１２でドア側エッジ８３を支え、背面仕切りバー１１３でボンネット側エッジ８４を支えることで下位物品８１の間隔を所定にピッチに保つ。そして、所定枚数の下位物品８１…を収納する。
【００３９】
図１０（ａ），（ｂ）は本発明に係るＬ形物品の収納方法を採用した第２実施の形態のＬ形物品収納装置の作用説明図（その２）である。
（ａ）において、第４のアーム１１８を矢印ａ５の如く跳ね上げ、下位物品８１のホイールアーチ部８２を押える。
（ｂ）において、第１のアーム１１５を矢印ｂ２の如く下ろすとともに第２のアーム１１６を矢印ｂ３の如く跳ね上げて、第１・第２のアーム１１５，１１６のセットを完了する。
【００４０】
図１１（ａ），（ｂ）は本発明に係るＬ形物品の収納方法を採用した第２実施の形態のＬ形物品収納装置の作用説明図（その３）である。
（ａ）において、上位物品９１をドア側エッジ９３を上方に向けるとともにホイールアーチ部９２を正面開口１０１に向けた状態で矢印ａ６の如く一方側収納部６６に差し込む。第１のアーム１１５で上位物品９１の間隔を所定のピッチに保つとともにホイールアーチ部９２を支持し、第２のアーム１１６でライト側エッジ９５を支える。そして、所定枚数の上位物品９１…を収納する。
（ｂ）において、第３のアーム１１７を矢印ｂ４の如く下ろし、上位物品９１…のボンネット側エッジ９４を押える。
【００４１】
図１２（ａ），（ｂ）は本発明に係るＬ形物品の収納方法を採用した第２実施の形態のＬ形物品収納装置の作用説明図（その４）である。
（ａ）において、一方側収納部６６に下位物品８１…を収納した手順で他方側収納部６７に、所定枚数の下位物品８１…を収納する。
（ｂ）において、一方側収納部６６に上位物品９１…を収納した手順で他方側収納部６７に、所定枚数の上位物品９１…を収納する。
【００４２】
Ｌ形物品の収納方法は、物品としての一対の下位・上位物品（車両用フロントフェンダ）８１，９１を、近接させて矩形にし、この状態で架台フレーム６１に立て収納するものであると言える。
【００４３】
所定の大きさのラックに多数のＬ形物品を収納できるとすれば、Ｌ形物品の収納効率を向上する上で好ましいことである。また、所定の大きさのラックに多数のＬ形物品を収納しても、Ｌ形物品の収納及び取出し時の作業性が低下させないようにすることも必要である。
【００４４】
そこで、下位・上位物品（車両用フロントフェンダ）８１，９１が略Ｌ字形の物品であることに着目し、下位・上位物品８１，９１を、近接させて矩形にし、この状態で架台フレーム６１に立て収納することで、Ｌ形物品の収納効率の向上を図る。また、下位・上位物品８１，９１を、近接させて矩形にし、この状態で架台フレーム６１に立て収納するので、矩形にした物品同士の収納高さは２段になるだけなので、収納及び取出し時の作業性を損なうことはない。この結果、収納作業の作業効率の向上を図ることができる。
【００４５】
また、Ｌ形物品の収納方法は、上位物品９１を、架台フレーム６１にスイング自在に取付けた第１・第２のアーム１１５，１１６で支え、架台フレーム６１にスイング自在に取付けた第３のアーム１１７でボンネット側エッジ９４を押えることで架台フレーム６１に支持させるものであるとも言える。
【００４６】
上位物品を支える第１・第２のアーム１１５，１１６は架台フレーム６１にスイング自在取付け、上位物品９１を押える第３アーム１１７も架台フレーム６１にスイング自在なので、例えば、架台フレーム６１に下位物品８１を収納するときには、第１〜第３のアーム１１５〜１１７を待避させておくことができる。
【００４７】
これにより、架台フレーム６１に下位物品８１を収納してから、第１・第２のアーム１１５，１１６を所定の位置にセットし、上位物品９１を架台フレーム６１に収納してから第３のアーム１１７で押えることができる。この結果、上位物品９１及び下位物品８１の収納及び取出しの作業性の向上を図ることができる。
【００４８】
さらに、Ｌ形物品の収納方法は、下位物品８１を、ドア側エッジ８３を架台フレーム６１に乗せるとともに架台フレーム６１にスイング可能に取付けた第４のアームで１３８下方へ押すことで架台フレーム６１に支持させるものであるとも言える。
【００４９】
下位物品８１を、スイング可能に取付けた第４のアーム１１８で下方へ押すことで架台フレーム６１に支持させるようにしたので、複数の下位物品８１…を架台フレーム６１に収納した後に、これらの下位物品８１…を一括して押えることができる。この結果、下位物品８１…の収納及び取出しの作業性の向上を図ることができる。
【００５０】
尚、実施の形態では図２に示すように、Ｌ形物品収納装置１０はラック等の棚であったが、これに限るものではなく、Ｌ形物品収納装置は、Ｌ形物品を収納する箱体であってもよい。例えば、輸送用のコンテナ等であってもよい。
実施の形態では図２に示すように、下位物品２１及び上位物品３１は、略Ｌ字形の板状体を呈したＬ形物品であったが、これに限るものではなく、略Ｌ字形を呈した厚みのある物品であってもよい。
【００５１】
実施の形態では図２に示すように、第１の支承部材５５で上位物品３１の後側下部３６を押えたが、これに限るものではなく、上位物品３１の後側下部３６を押えるとともに凹コーナ部３８に第１の支承部材５５を当てるようにしたものであってもよい。
実施の形態では図２に示すように、下部保持部材５８で下位物品２１の前側上部２６を押えたが、これに限るものではなく、下位物品２１の凹コーナ部２８、中間側部２７若しくは後側上部２５を押えるものであってもよい。
【００５２】
実施の形態では図２に示すように、上位物品３１の後側下部（下部）３６を第１の支承部材５５支承し、上位物品３１の前側下部（下部）３５を第２の支承部材５６支承したが、第１の支承部材５５のみを設けることで上位物品３１を支承してもよく、第２の支承部材５６のみを設けることで上位物品３１を支承してもよい。
【００５３】
第２の実施の形態では図５に示すように、一方側収納部及び他方側収納部の２つの収納部を設けたが、これに限るものではなく、１つ若しくは２つ以上の複数の収納部を設けたものであってもよい。
【００５４】
【発明の効果】
本発明は上記構成により次の効果を発揮する。
請求項１では、下位物品を少なくとも下仕切りバーを介してラックの下部に下位物品の側部をラックの背側にして収納する工程と、下位物品の凹コーナ部を収納取出し方向にスイング自在に設けた下位保持部材で支持するとともに、上位物品の側部をラック前面側にして上仕切りバーで支持し、且つ下位保持部材と同じ方向にスイング自在に設けた支持手段を介して上位物品をラックの上部に収納する工程と、を備えたので、物品の収納効率の向上を図ることができる。また、矩形にした物品同士の収納高さは２段になるだけなので、収納及び取出し時の作業性を損なうことはない。この結果、収納作業の作業効率の向上を図ることができる。
【００５５】
請求項２では、下仕切りバー及び上仕切りバーを、複数個の下位物品及び上位物品を列べて収納可能にすることで、所定の大きさのラックに多数のＬ形物品を収納できる。
【００５６】
請求項３では、上位物品を、下位物品の収納時には収納取出し方向に退避自在に設けた上位保持部材及び支承手段で支持したので、下位物品の収納及び取出しの作業性の向上を図ることができる。
【図面の簡単な説明】
【図１】本発明に係るＬ形物品の収納方法を採用したＬ形物品収納装置の斜視図
【図２】本発明に係るＬ形物品の収納方法を採用したＬ形物品収納装置の側面図
【図３】本発明に係るＬ形物品の収納方法を採用したＬ形物品収納装置の作用説明図（その１）
【図４】本発明に係るＬ形物品の収納方法を採用したＬ形物品収納装置の作用説明図（その２）
【図５】本発明に係るＬ形物品の収納方法を採用した第２実施の形態のＬ形物品収納装置の斜視図
【図６】図５の６矢視図
【図７】図５の７矢視図
【図８】図５の８矢視図
【図９】本発明に係るＬ形物品の収納方法を採用した第２実施の形態のＬ形物品収納装置の作用説明図（その１）
【図１０】本発明に係るＬ形物品の収納方法を採用した第２実施の形態のＬ形物品収納装置の作用説明図（その２）
【図１１】本発明に係るＬ形物品の収納方法を採用した第２実施の形態のＬ形物品収納装置の作用説明図（その３）
【図１２】本発明に係るＬ形物品の収納方法を採用した第２実施の形態のＬ形物品収納装置の作用説明図（その４）
【図１３】従来の横置き収納方式を採用した物品収納装置の側面図
【図１４】従来の縦置き収納方式を採用した物品収納方法の説明図
【符号の説明】
１０…Ｌ形物品収納装置、１１…ラック（架台フレーム）、２１…下位物品、２６…上部（前側上部）、３１…上位物品、３２…上部、３４…側部（第２側部）、３５…下部（前側下部）、３６…下部（後側下部）、５５，５６…支持手段（第１・第２の支承部材）、５７…支持手段（上位保持部材）、５８…支持手段（下位保持部材）、６０…Ｌ形物品収納装置、６１…ラック（架台フレーム）、８１…下位物品、９１…上位物品、１１５〜１１８…第１〜第４のアーム、１３５〜１３８…第１〜第４のアーム。
【図１】
0003771516.tif 000002
【図２】
0003771516.tif 000003
【図３】
0003771516.tif 000004
【図４】
0003771516.tif 000005
【図５】
0003771516.tif 000006
【図６】
0003771516.tif 000007
【図７】
0003771516.tif 000008
【図８】
0003771516.tif 000009
【図９】
0003771516.tif 000010
【図１０】
0003771516.tif 000011
【図１１】
0003771516.tif 000012
【図１２】
0003771516.tif 000013
【図１３】
0003771516.tif 000014
【図１４】
0003771516.tif 000015